(57)【要約】【課題】  より省電力で待機することができる電子機器、及び電子機器の制御方法を提供する。【解決手段】  一実施形態に係る電子機器は、外部から供給される電力を受けて動作する電子機器であって、外部端末から送信された信号を受信する受光手段と、外部からの操作に応じて信号を生成する主電源ボタンと、前記主電源ボタンまたは前記受光手段からの信号に基づいて、前記電子機器の動作を制御する制御手段と、前記外部から供給された電力を前記制御手段に供給する電源回路と、外部から前記電源回路への電力の供給をオンとオフとで切り替えるスイッチング手段と、前記主電源ボタンからの信号または前記制御手段からの制御に基づいて、前記スイッチング手段を制御する電源制御手段と、前記電源制御手段及び前記主電源ボタンに電力を供給する蓄電手段と、を具備する。【選択図】      図４
2013078050.tif 000002
【特許請求の範囲】
【請求項１】
外部から供給される電力を受けて動作する電子機器であって、
外部端末から送信された信号を受信する受光手段と、
外部からの操作に応じて信号を生成する主電源ボタンと、
前記主電源ボタンまたは前記受光手段からの信号に基づいて、前記電子機器の動作を制御する制御手段と、
前記外部から供給された電力を前記制御手段に供給する電源回路と、
外部から前記電源回路への電力の供給をオンとオフとで切り替えるスイッチング手段と、
前記主電源ボタンからの信号または前記制御手段からの制御に基づいて、前記スイッチング手段を制御する電源制御手段と、
前記電源制御手段及び前記主電源ボタンに電力を供給する蓄電手段と、
を具備する電子機器。
【請求項２】
前記蓄電手段は、前記スイッチング手段をオンである場合、電力を蓄電し、前記スイッチング手段がオフである場合、電力を前記電源制御手段に供給する、請求項１に記載の電子機器。
【請求項３】
前記電源制御手段は、前記スイッチング手段がオフである場合、前記蓄電手段から供給された電力を前記主電源ボタンに供給する、請求項２に記載の電子機器。
【請求項４】
前記電源制御手段は、前記スイッチング手段がオフである場合、前記主電源ボタンからの信号に基づいて前記スイッチング手段をオンに制御する、請求項３に記載の電子機器。
【請求項５】
前記制御手段は、前記電源制御手段に待機時間を含むコマンドを送信し、
前記電源制御手段は、前記制御手段から前記コマンドを受信した場合、前記スイッチング手段をオフし、時間をカウントし、カウントした時間が前記待機時間に達する場合、前記スイッチング手段をオンする、
請求項１に記載の電子機器。
【請求項６】
前記制御手段は、前記電源制御手段に時刻を示す時刻情報を含むコマンドを送信し、
前記電源制御手段は、前記制御手段から前記コマンドを受信した場合、前記スイッチング手段をオフし、現時刻を計時し、現時刻が前記時刻情報が示す時刻に達する場合、前記スイッチング手段をオンする、
請求項１に記載の電子機器。
【請求項７】
外部から供給される電力を受けて動作する電子機器の制御方法であって、
受光手段により、外部端末から送信された信号を受信し、
主電源ボタンにより、外部からの操作に応じて信号を生成し、
前記主電源ボタンまたは前記受光手段からの信号に基づいて、制御手段により、前記電子機器の動作を制御し、
電源回路により、前記外部から供給された電力を前記制御手段に供給し、
スイッチング手段により、外部から前記電源回路への電力の供給をオンとオフとで切り替え、
前記主電源ボタンからの信号または前記制御手段からの制御に基づいて、電源制御手段により、前記スイッチング手段を制御し、
前記スイッチング手段がオンである場合、電力を蓄電し、前記スイッチング手段がオフである場合、電力を前記電源制御手段及び前記主電源ボタンに供給する、
電子機器の制御方法。
【発明の詳細な説明】
【技術分野】
【０００１】
本発明の実施形態は、電子機器、及び電子機器の制御方法に関する。
【背景技術】
【０００２】
近年、機器のほぼ全ての機能部が動作可能な動作状態（通常状態）と、主たる機能部は動作せずリモコン等からの特定の操作入力に対する応答や計時などの限定的な動作のみが有効となる待機状態とを有する電子機器が広く普及している。通常状態では特定ブロックへの供給電源がオン状態である。また、待機状態では特定ブロックへの供給電源がオフ状態となるように制御されることが一般的である。
【先行技術文献】
【特許文献】
【０００３】
【特許文献１】特開２０１１−１６０１４９号公報
【発明の概要】
【発明が解決しようとする課題】
【０００４】
従来の電子機器における待機状態では、電子機器は、限定的な動作を維持する為に特定ブロックに電力を供給する。この場合、電子機器は、商用電源からの交流電流を受け取り直流電流に変換し、直流電流を特定ブロックに供給する。このように、電子機器は、商用電源からの電力供給を受け続けることになり、電子機器の待機時であっても電力が消費されるという課題がある。
【０００５】
そこで、より省電力で待機することができる電子機器、及び電子機器の制御方法を提供することを目的とする。
【課題を解決するための手段】
【０００６】
一実施形態に係る電子機器は、外部から供給される電力を受けて動作する電子機器であって、外部端末から送信された信号を受信する受光手段と、外部からの操作に応じて信号を生成する主電源ボタンと、前記主電源ボタンまたは前記受光手段からの信号に基づいて、前記電子機器の動作を制御する制御手段と、前記外部から供給された電力を前記制御手段に供給する電源回路と、外部から前記電源回路への電力の供給をオンとオフとで切り替えるスイッチング手段と、前記主電源ボタンからの信号または前記制御手段からの制御に基づいて、前記スイッチング手段を制御する電源制御手段と、前記電源制御手段及び前記主電源ボタンに電力を供給する蓄電手段と、を具備する。
【図面の簡単な説明】
【０００７】
【図１】図１は、一実施形態に係る放送受信装置について説明する為の図である。
【図２】図２は、一実施形態に係る放送受信装置について説明する為の図である。
【図３】図３は、一実施形態に係る放送受信装置について説明する為の図である。
【図４】図４は、一実施形態に係る放送受信装置について説明する為の図である。
【図５】図５は、一実施形態に係る放送受信装置について説明する為の図である。
【図６】図６は、一実施形態に係る放送受信装置について説明する為の図である。
【図７】図７は、一実施形態に係る放送受信装置について説明する為の図である。
【図８】図８は、一実施形態に係る放送受信装置について説明する為の図である。
【図９】図９は、一実施形態に係る放送受信装置について説明する為の図である。
【発明を実施するための形態】
【０００８】
以下、図を参照しながら、一実施形態に係る電子機器、及び電子機器の制御方法について詳細に説明する。
【０００９】
図１は、一実施形態に係る電子機器としての放送受信装置１００の外観の例を示す。  
放送受信装置１００は、映像を表示するディスプレイ（表示部４００）が設けられる本体１０１と、この本体１０１を自立可能な状態で支える脚部１０２とを供える。
【００１０】
本体１０１には、点灯部１０３、点灯部１０４、主電源ボタン１８７、エコセットスイッチ１８８、第１の受光部１６２、及び第２の受光部１９１が設けられている。点灯部１０３及び点灯部１０４は、点灯状態により放送受信装置１００の状態などを報知する。主電源ボタン１８７は、放送受信装置１００の電源状態を切り替える為のスイッチである。エコセットスイッチ１８８は、放送受信装置１００の電源状態を切り替える場合の動作を切り替える為のスイッチである。第１の受光部１６２及び第２の受光部１９１は、リモートコントローラから送信される信号を受け取る。
【００１１】
図２は、放送受信装置１００の側面部の例を示す。  
放送受信装置１００の本体１０１の側面部には、主電源ボタン１８７及びエコセットスイッチ１８８が設けられている。なお、主電源ボタン１８７及びエコセットスイッチ１８８は、放送受信装置１００の本体１０１の上部、または背面部などに設けられていてもよい。またさらに、主電源ボタン１８７及びエコセットスイッチ１８８は、本体１０１のディスプレイ４００の側部などに設けられていてもよい。
【００１２】
図３は、一実施形態に係る放送受信装置１００の例を示す。  
放送受信装置１００は、放送入力端子１１０、チューナ１１１、復調部１１２、信号処理部１１３、通信インターフェース１１４、音声処理部１２１、映像処理部１３１、ＯＳＤ処理部１３２、表示処理部１３３、制御部１５０、操作入力部１６１、第１の受光部１６２、カードコネクタ１６４、ＵＳＢコネクタ１６６、ディスクドライブ１７０、及び電源制御部１８０を備える。また、放送受信装置１００は、さらにスピーカ３００及びディスプレイ４００を備える。
【００１３】
放送入力端子１１０は、例えばアンテナ２００により受信されるディジタル放送信号が入力される入力端子である。アンテナ２００は、例えば、地上ディジタル放送信号、ＢＳ（ｂｒｏａｄｃａｓｔｉｎｇ  ｓａｔｅｌｌｉｔｅ）ディジタル放送信号、及び／または、１１０度ＣＳ（ｃｏｍｍｕｎｉｃａｔｉｏｎ  ｓａｔｅｌｌｉｔｅ）ディジタル放送信号を受信する。即ち、放送入力端子１１０には、放送信号により供給される番組などのコンテンツが入力される。
【００１４】
放送入力端子１１０は、受信したディジタル放送信号をチューナ１１１に供給する。チューナ１１１は、ディジタル放送信号用のチューナである。チューナ１１１は、アンテナ２００から供給されるディジタル放送信号のチューニング（選局）を行う。チューナ１１１は、チューニングしたディジタル放送信号を復調部１１２に送信する。
【００１５】
復調部１１２は、受信するディジタル放送信号の復調を行う。復調部１１２は、復調したディジタル放送信号（コンテンツ）を信号処理部１１３に入力する。即ち、アンテナ２００、チューナ１１１、及び復調部１１２は、コンテンツを受信する受信手段として機能する。
【００１６】
信号処理部１１３は、ディジタル放送信号（動画のコンテンツデータ）に対して信号処理を施す信号処理手段として機能する。信号処理部１１３は、復調部１１２から供給されるディジタル放送信号に、信号処理を施す。即ち、信号処理部１１３は、ディジタル放送信号を映像信号、音声信号、及びその他のデータ信号に分離する。信号処理部１１３は、音声処理部１２１に音声信号を供給する。また、信号処理部１１３は、映像処理部１３１に映像信号を供給する。さらに、信号処理部１１３は、制御部１５０、及び／またはＯＳＤ処理部１３２にデータ信号を供給する。
【００１７】
通信インターフェース１１４は、例えばＨＤＭＩ（High Definition Multimedia Interface）（登録商標）端子などの、コンテンツを受信可能なインターフェースを備える。通信インターフェース１１４は、ディジタル映像信号、及びディジタル音声信号などが多重化されたコンテンツを他の機器から受信する。通信インターフェース１１４は、他の機器から受信したディジタル信号（コンテンツ）を信号処理部１１３に供給する。即ち、通信インターフェース１１４は、コンテンツを受信する受信手段として機能する。
【００１８】
信号処理部１１３は、通信インターフェース１１４から受信するディジタル信号に信号処理を施す。例えば、信号処理部１１３は、ディジタル信号をディジタル映像信号とディジタル音声信号とデータ信号とに分離する。信号処理部１１３は、音声処理部１２１にディジタル音声信号を供給する。また、信号処理部１１３は、映像処理部１３１にディジタル映像信号を供給する。さらに、信号処理部１１３は、制御部１５０、及び／またはＯＳＤ処理部１３２にデータ信号を供給する。
【００１９】
なお、信号処理部１１３は、通信インターフェース１１４に入力されるコンテンツと、放送入力端子１１０に入力されるコンテンツとのいずれかを選択し、処理を行う。即ち、信号処理部１１３は、ディジタル放送信号とディジタル信号のいずれかに対して信号の分離処理を行う。
【００２０】
音声処理部１２１は、信号処理部１１３から受信したディジタル音声信号を、スピーカ３００により再生可能なフォーマットの信号（オーディオ信号）に変換する。音声処理部１２１は、オーディオ信号をスピーカ３００に供給する。スピーカ３００は、供給されるオーディオ信号に基づいて音を再生する。
【００２１】
映像処理部１３１は、信号処理部１１３から受信した映像信号を、ディスプレイ４００で再生可能なフォーマットの映像信号に変換する。即ち、映像処理部１３１は、信号処理部１１３から受信した映像信号を、ディスプレイ４００で再生可能なフォーマットの映像信号にデコード（再生）する。また、映像処理部１３１は、ＯＳＤ処理部１３２から供給されるＯＳＤ信号を映像信号に重畳する。映像処理部１３１は、映像信号を表示処理部１３３に出力する。
【００２２】
ＯＳＤ処理部１３２は、信号処理部１１３から強雨されるデータ信号、及び／または制御部１５０から供給される制御信号に基づいて、ＧＵＩ（グラフィック  ユーザ  インタフェース）画面、字幕、時刻、または他の情報などを画面に重畳して表示する為のＯＳＤ信号を生成する。
【００２３】
表示処理部１３３は、例えば、制御部１５０からの制御に基づいて、受信した映像信号に対して色味、明るさ、シャープ、コントラスト、またはその他の画質調整処理を行う。表示処理部１３３は、画質調整を施した映像信号をディスプレイ４００に供給する。ディスプレイ４００は、供給される映像信号に基づいて映像を表示する。
【００２４】
ディスプレイ４００は、例えば、マトリクス状に配列された複数の画素を備える液晶表示パネルと、この液晶パネルを照明するバックライトとを備える液晶表示装置などを備える。ディスプレイ４００は、放送受信装置１００から供給される映像信号に基づいて映像を表示する。
【００２５】
なお、放送受信装置１００は、ディスプレイ４００の代わりに、映像出力端子を備える構成であってもよい。また、放送受信装置１００は、スピーカ３００の代わりに、音声出力端子を備える構成であってもよい。
【００２６】
制御部１５０は、放送受信装置１００の各部の動作を制御する制御手段として機能する。制御部１５０は、ＣＰＵ１５１、ＲＯＭ１５２、ＲＡＭ１５３、及びＥＥＰＲＯＭ１５４などを備えている。制御部１５０は、操作入力部１６１から供給される操作信号に基づいて、種々の処理を行う。
【００２７】
ＣＰＵ１５１は、種々の演算処理を実行する演算素子などを備える。ＣＰＵ１５１は、ＲＯＭ１５２、またはＥＥＰＲＯＭ１５４などに記憶されているプログラムを実行することにより種々の機能を実現する。
【００２８】
ＲＯＭ１５２は、放送受信装置１００を制御する為のプログラム、及び各種の機能を実現する為のプログラムなどを記憶する。ＣＰＵ１５１は、操作入力部１６１から供給される操作信号に基づいて、ＲＯＭ１５２に記憶されているプログラムを起動する。これにより、制御部１５０は、各部の動作を制御する。
【００２９】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータなどを記憶する。
【００３０】
ＥＥＰＲＯＭ１５４は、各種の設定情報、及びプログラムなどを記憶する不揮発性メモリである。
【００３１】
操作入力部１６１は、例えば、操作キー、キーボード、マウス、タッチパッドまたは操作入力に応じて操作信号を生成する事ができる他の入力装置などを備える入力手段である。例えば、操作入力部１６１は、操作入力に応じて操作信号を生成する。操作入力部１６１は、生成した操作信号を制御部１５０に供給する。
【００３２】
なお、タッチパッドは、静電センサ、サーモセンサ、または他の方式に基づいて位置情報を生成するデバイスを含む。また、放送受信装置１００がディスプレイ４００を備える場合、操作入力部１６１は、ディスプレイ４００と一体に形成されるタッチパネルなどを備える構成であってもよい。
【００３３】
第１の受光部１６２は、例えば、リモートコントローラ１６３からの操作信号を受信するセンサなどを備える。第１の受光部１６２は、受信した信号を制御部１５０に供給する。制御部１５０は、第１の受光部１６２から供給された信号を受信し、受信した信号を増幅させてＡ／Ｄ変換を行うことにより、リモコン１６３から送信された元の操作信号を復号する。
【００３４】
リモートコントローラ１６３は、ユーザの操作入力に基づいて操作信号を生成する。リモートコントローラ１６３は、生成した操作信号を赤外線通信により第１の受光部１６２に送信する。なお、第１の受光部１６２及びリモートコントローラ１６３は、電波などの他の無線通信により操作信号の送受信を行う構成であってもよい。
【００３５】
カードコネクタ１６４は、例えば、動画コンテンツを記憶するメモリカード１６５と通信を行う為のインターフェースである。カードコネクタ１６４は、接続されるメモリカード１６５から動画のコンテンツデータを読み出し、制御部１５０に供給する。
【００３６】
ＵＳＢコネクタ１６６は、ＵＳＢ機器１６７と通信を行う為のインターフェースである。ＵＳＢコネクタ１６６は、接続されるＵＳＢ機器１６７から供給される信号を制御部１５０に供給する。
【００３７】
例えば、ＵＳＢ機器１６７がキーボードなどの操作入力機器である場合、ＵＳＢコネクタ１６６は、操作信号をＵＳＢ機器１６７から受け取る。ＵＳＢコネクタ１６６は、受け取った操作信号を制御部１５０に供給する。この場合、制御部１５０は、ＵＳＢコネクタ１６６から供給される操作信号に基づいて種々の処理を実行する。
【００３８】
また、例えば、ＵＳＢ機器１６７が動画のコンテンツデータを記憶する記憶装置である場合、ＵＳＢコネクタ１６６は、コンテンツをＵＳＢ機器１６７から取得することができる。ＵＳＢコネクタ１６６は、取得したコンテンツを制御部１５０に供給する。
【００３９】
ディスクドライブ１７０は、例えば、コンパクトディスク（ＣＤ）、ディジタルバーサタイルディスク（ＤＶＤ）、ブルーレイディスク（Ｂｌｕ−ｒａｙ  Ｄｉｓｋ（登録商標））、または動画のコンテンツデータを記録可能な他の光ディスクＭを装着可能なドライブを有する。ディスクドライブ１７０は、装着される光ディスクＭからコンテンツを読み出し、読み出したコンテンツを制御部１５０に供給する。
【００４０】
電源制御部１８０は、放送受信装置１００の各部への電力の供給を制御する。電源制御部１８０は、例えば、ＡＣアダプタなどを介して商用電源５００などから電力を受け取る。商用電源５００は、交流の電力を電源制御部１８０に供給する。電源制御部１８０は、受け取った交流の電力を直流に変換し各部へ供給する。
【００４１】
また、電源制御部１８０は、第２の受光部１９１と、蓄電手段としてのキャパシタとを備える。第２の受光部１９１は、リモートコントローラ１６３からの操作信号を受信するセンサなどを備える。電源制御部１８０は、第１の受光部１６２、または第２の受光部１９１により受信した操作信号に基づいて、放送受信装置１００の電源状態を制御する。
【００４２】
電源制御部１８０は、ＡＣアダプタなどを介して供給される電力をキャパシタに充電する。電源制御部１８０は、キャパシタに充電されている電力を用いて第２の受光部１９１を動作させる。
【００４３】
また、放送受信装置１００は、さらに他のインターフェースを備えていても良い。インターフェースは、例えば、Ｓｅｒｉａｌ−ＡＴＡ、ＬＡＮポートなどである。放送受信装置１００は、インターフェースにより接続される機器に記録されているコンテンツを取得し、再生することができる。また、放送受信装置１００は、再生したオーディオ信号及び映像信号を、インターフェースにより接続される機器に出力することが出来る。
【００４４】
また、放送受信装置１００がインターフェースを介してネットワークに接続される場合、放送受信装置１００は、ネットワーク上の動画のコンテンツデータを取得し、再生することができる。
【００４５】
またさらに、放送受信装置１００は、ハードディスク（ＨＤＤ）、ソリッドステイトドライブ（ＳＳＤ）、または半導体メモリなどの記憶装置を備えていても良い。この記憶装置が動画のコンテンツデータを記憶する場合、放送受信装置１００は、この記憶装置に記憶されているコンテンツを読み出し、再生することが出来る。また、放送受信装置１００は、この記憶装置に例えば放送信号またはネットワークなどにより供給されるコンテンツを記憶することができる。
【００４６】
図４は、電源制御部１８０の構成の例を示す。  
電源制御部１８０は、商用電源５００から供給される電力により放送受信装置１００の各部に電力を供給する。電源制御部１８０は、リレースイッチ１８１、第１の電源回路１８２、キャパシタ１８４、ＰＦＣ回路１８５、第２の電源回路１８６、エコセットスイッチ１８８、及びＡＣ電源制御モジュール１９０を備える。また、ＡＣ電源制御モジュール１９０は、第２の受光部１９１、及び電源制御ＩＣ１９２を備える。また、図１により示された主電源ボタン１８７が制御部１５０及び電源制御ＩＣ１９２に接続されている。また、図１及び３により示された第１の受光部１６２が制御部１５０に接続されている。
【００４７】
リレースイッチ１８１は、電気信号を受けて機械的な動作をするスイッチである。リレースイッチ１８１は、商用電源５００と第１の電源回路１８２との間に接続される。また、リレースイッチ１８１の後段には、さらにＰＦＣ回路１８５が接続されている。即ち、リレースイッチ１８１は、第１の電源回路１８２及びＰＦＣ回路１８５に商用電源５００からの交流電流を供給する状態（ＡＣ−ＯＮ状態）と、第１の電源回路１８２及びＰＦＣ回路１８５に商用電源５００からの交流電流を供給しない状態（ＡＣ−ＯＦＦ状態）と、をＯＮ／ＯＦＦにより切り替える。
【００４８】
第１の電源回路１８２は、交流電流を直流電流に変換するＡＣ／ＤＣ変換器を備える。第１の電源回路１８２は、商用電源５００から供給された交流電流を直流電流に変換し、キャパシタ１８４及び制御部１５０に供給する。例えば、第１の電源回路１８２は、商用電源５００から供給された交流電流を±５Ｖの直流電流に変換し、キャパシタ１８４及び制御部１５０に供給する。制御部１５０は、第１の電源回路１８２により供給される直流電流により動作することができる。
【００４９】
キャパシタ１８４は、静電容量により電荷の蓄積及び放出を行う蓄電手段として機能する。キャパシタ１８４は、第１の電源回路１８２から供給される直流電流を蓄積する。また、キャパシタ１８４は、蓄積した電力により直流電流を電源制御ＩＣ１９２に供給する。電源制御ＩＣ１９２は、キャパシタ１８４により供給される直流電流により動作することができる。
【００５０】
なお、電源制御部１８０は、キャパシタの代わりに二次電池、コンデンサ、または電荷を蓄積し放出することができる他のモジュールなどを備える構成であってもよい。
【００５１】
Ｐｏｗｅｒ  Ｆａｃｔｏｒ  Ｃｏｒｒｅｃｔｉｏｎ（ＰＦＣ）回路１８５は、入力された電流をより効率的に使用する為の力率改善回路である。ＰＦＣ回路１８５は、リレースイッチ１８１の出力端子に接続される。即ち、ＰＦＣ回路１８５は、商用電源５００供給される交流電流に対して補正を行い、補正した交流電流を第２の電源回路１８６に供給する。なお、ＰＦＣ回路１８５は、制御部１５０によりＯＮ／ＯＦＦが制御される。
【００５２】
第２の電源回路１８６は、交流電流を直流電流に変換するＡＣ／ＤＣ変換器を備える。第２の電源回路１８６は、商用電源５００から供給された交流電流を直流電流に変換し、放送受信装置１００内の信号処理系、及び出力系などに供給する。なお、第２の電源回路１８６は、制御部１５０によりＯＮ／ＯＦＦが制御される。
【００５３】
例えば、第２の電源回路１８６は、商用電源５００から供給された交流電流を±１２Ｖの直流電流に変換し、チューナ１１１、復調部１１２、信号処理部１１３、音声処理部１２１、映像処理部１３１、ＯＳＤ処理部１３２、及び表示処理部１３３などの信号処理系、並びにスピーカ３００及びディスプレイ４００などの出力系に供給する。即ち、上記の信号処理系及び出力系の各部は、第２の電源回路１８６により供給された直流電流により動作することができる。
【００５４】
なお、第２の電源回路１８６は、ＵＳＢコネクタ１６６、ディスクドライブ１７０、及び放送受信装置１００内の他のモジュールに直流電流を供給する構成であってもよい。
【００５５】
主電源ボタン１８７は、放送受信装置１００の電源状態を切り替える為のスイッチである。主電源ボタン１８７は、図１により示されたように、外部から操作可能な状態で設置されている。主電源ボタン１８７が押下された場合、主電源ボタン１８７は、制御部１５０または電源制御ＩＣ１９２に信号を送信する。
【００５６】
制御部１５０は、第１の受光部１６２または主電源ボタン１８７からの信号に基づいて、ＰＦＣ回路１８５及び第２の電源回路１８６のＯＮ／ＯＦＦを制御する。例えば、第１の電源回路１８２及び第２の電源回路１８６が動作している状態で電源操作の信号が第１の受光部１６２または主電源ボタン１８７から入力された場合、制御部１５０は、ＰＦＣ回路１８５及び第２の電源回路１８６をＯＦＦする。これにより、放送受信装置１００は、出画及び信号処理などを行わない待機状態に移行する。
【００５７】
エコセットスイッチ１８８は、放送受信装置１００の電源状態を切り替える場合の動作を切り替える為のスイッチである。エコセットスイッチ１８８は、リレースイッチ１８１と並列に接続される。図１により示されたように、外部から操作可能な状態で設置されている。エコセットスイッチ１８８は、外部からの操作に応じてＯＮ／ＯＦＦが切り替えられる。また、エコセットスイッチ１８８は、制御部１５０からの制御信号によりＯＮ／ＯＦＦが切り替えられる構成であってもよい。
【００５８】
エコセットスイッチ１８８がＯＮ（短絡）された場合、リレースイッチ１８１のＯＮ／ＯＦＦに係らず、商用電源５００からの交流電流が第１の電源回路１８２及びＰＦＣ回路１８５に供給される。また、エコセットスイッチ１８８がＯＦＦ（開放）された場合、商用電源５００から第１の電源回路１８２及びＰＦＣ回路１８５への交流電流の供給がリレースイッチ１８１のＯＮ／ＯＦＦにより切り替えられる。
【００５９】
ＡＣ電源制御モジュール１９０は、キャパシタ１８４からの直流電流の供給を受けて、リレースイッチ１８１のＯＮ／ＯＦＦを制御する。これにより、ＡＣ電源制御モジュール１９０は、商用電源５００からの交流電流の供給の有無を切り替える。
【００６０】
第２の受光部１９１は、リモートコントローラ１６３からの操作信号を受信するセンサなどを備える。第２の受光部１９１は、受信した信号を電源制御ＩＣ１９２に供給する。
【００６１】
電源制御ＩＣ１９２は、第２の受光部１９１から供給された信号を受信し、受信した信号を増幅させてＡ／Ｄ変換を行うことにより、リモコン１６３から送信された元の操作信号を復号する。電源制御ＩＣ１９２は、操作信号に基づいて、リレースイッチ１８１のＯＮ／ＯＦＦを制御する。また、電源制御ＩＣ１９２は、制御部１５０と接続されており、互いに制御信号の送受信を行なうことができる。またさらに、電源制御ＩＣ１９２は、主電源ボタン１８７と接続されており、主電源ボタン１８７から信号を受信することができる。
【００６２】
制御部１５０、及び電源制御ＩＣ１９２は、リレースイッチ１８１、エコセットスイッチ１８８、第１の電源回路１８２、及び第２の電源回路１８６の動作を制御することにより、放送受信装置１００を通常状態、第１の待機状態、及び第２の待機状態のいずれかの状態に制御する。
【００６３】
通常状態は、第１の電源回路１８２及び第２の電源回路１８６が動作しており、制御部１５０、信号処理系、及び出力系に電力を供給可能な状態である。即ち、放送受信装置１００が通常状態である場合、放送受信装置１００は、ディスプレイ４００に映像を表示させ、且つ、スピーカ３００に音声を再生させることができる。
【００６４】
第１の待機状態は、第１の電源回路１８２が動作しており、第２の電源回路１８６が停止している状態である。即ち、第１の待機状態は、制御部１５０に電力が供給され、信号処理系及び出力系に電力が供給されない状態である。この場合、放送受信装置１００は、映像の表示及び音声の再生を行わない。
【００６５】
なお、制御部１５０に電力が供給されている為、制御部１５０は、第１の受光部１６２からの信号を受信することができる。また、制御部１５０は、主電源ボタン１８７に電力を供給する。この為、制御部１５０は、第１の受光部１６２または主電源ボタン１８７からの信号に基づいてＰＦＣ回路１８５及び第２の電源回路１８６をＯＮさせることができる。これにより、制御部１５０は、放送受信装置１００を第１の待機状態から通常状態に復帰させることができる。
【００６６】
なお、第１の待機状態では、制御部１５０は、電源、および画面などのノイズの影響を受けやすい。この為、制御部１５０は、消費電力の大きいノイズ耐性のあるＩＣが用いられる必要がある。
【００６７】
第２の待機状態は、第１の電源回路１８２及び第２の電源回路１８６が停止している状態である。即ち、第２の待機状態は、制御部１５０、信号処理系、及び出力系に電力が供給されない状態である。この場合、放送受信装置１００は、映像の表示、音声の再生、及びＲＡＭ１５３の保持を行わない。また、制御部１５０に電力が供給されない為、第１の受光部１６２は、信号を受信することができない状態になる。
【００６８】
なお、電源制御ＩＣ１９２にはキャパシタ１８４から電力が供給される。この為、電源制御ＩＣ１９２は、第２の受光部１９１からの信号を受信することができる。また、電源制御ＩＣ１９２は、キャパシタ１８４から供給された電力の一部を主電源ボタン１８７に供給する。電源制御ＩＣ１９２は、第２の受光部１９１または主電源ボタン１８７からの信号に基づいてリレースイッチ１８１をＯＮさせることができる。これにより、制御部１５０は、放送受信装置１００を第２の待機状態から通常状態に復帰させることができる。
【００６９】
エコセットスイッチ１８８がＯＮである場合、またはリレースイッチ１８１がＯＮである場合、制御部１５０は、第２の電源回路１８６の動作を制御することにより、放送受信装置１００を通常状態と第１の待機状態とで切り替えることができる。さらに、電源制御ＩＣ１９２がリレースイッチ１８１をＯＦＦにした場合、放送受信装置１００は、第２の待機状態に移行する。
【００７０】
例えば、点灯部１０３は、放送受信装置１００における電源の状態を示す。また、点灯部１０４は、放送受信装置１００における予約録画、視聴予約などの状態を示す。点灯部１０３は、放送受信装置１００が通常状態である場合、第１の色で点灯する。また、点灯部１０３は、放送受信装置１００が第１の状態である場合、第２の色で点灯する。またさらに、点灯部１０３は、放送受信装置１００が第２の状態である場合、消灯する。
【００７１】
制御部１５０は、リモートコントローラ１６３または主電源ボタン１８７から、放送受信装置１００の電源のＯＮ／ＯＦＦを切り替える信号（電源操作信号）が入力された場合、第２の電源回路１８６の動作を停止させ、放送受信装置１００を第１の待機状態に移行させる。さらに、制御部１５０は、第２の電源回路１８６の動作を停止させてからの経過時間をカウントする。カウントした時間が予め設定された第１の待機時間に達する場合、制御部１５０は、リレースイッチ１８１をＯＦＦするように電源制御ＩＣ１９２にコマンドを送信する。なお、制御部１５０は、予め設定された第２の待機時間を示す情報をこのコマンドに付加する。
【００７２】
図５は、電源制御ＩＣ１９２の構成例を示す。  
電源制御ＩＣ１９２は、ＡＣ電源制御部１９３、信号受信部１９４、増幅器１９５、Ａ／Ｄ変換部１９６、及びカウンタ１９７を備える。なお、電源制御ＩＣ１９２の各部は、キャパシタ１８４から供給される直流電流により動作することができる。
【００７３】
ＡＣ電源制御部１９３は、リレースイッチ１８１のＯＮ／ＯＦＦを制御する。上記したように、制御部１５０からリレースイッチ１８１をＯＦＦするためのコマンドを受信した場合、ＡＣ電源制御部１９３は、リレースイッチ１８１をＯＦＦする。リレースイッチ１８１がＯＦＦされ、且つエコセットスイッチ１８８がＯＦＦされている場合、商用電源５００と放送受信装置１００とが接続されていない状態になる為、より待機中の電力消費を抑えることができる。
【００７４】
信号受信部１９４は、第２の受光部１９１から送信された信号を受信する。増幅器１９５は、信号受信部１９４により受信した信号を増幅する。Ａ／Ｄ変換部１９６は、増幅器１９５により増幅された信号をディジタル信号に変換する。これにより、電源制御ＩＣ１９２は、リモートコントローラ１６３から送信された元の操作信号を復号することができる。カウンタ１９７は、時間をカウントする。
【００７５】
ＡＣ電源制御部１９３は、制御部１５０からコマンドを受信し、リレースイッチ１８１をＯＦＦした場合、カウンタ１９７により時間のカウントを開始する。ＡＣ電源制御部１９３は、カウンタ１９７によりカウントした時間が、コマンドが示す第２の待機時間に達する場合、リレースイッチ１８１をＯＮする。
【００７６】
また、上記したように、信号受信部１９４、増幅器１９５、及びＡ／Ｄ変換部１９６は、キャパシタ１８４からの電力の供給を受けて動作する。この為、電源制御ＩＣ１９２は、エコセットスイッチ１８８及びリレースイッチ１８１がＯＦＦの状態であっても、リモートコントローラ１６３から送信された信号を第２の受光部１９１により受信し、元の信号を復号することができる。
【００７７】
ＡＣ電源制御部１９３は、リレースイッチ１８１がＯＦＦの状態で、リモートコントローラ１６３または主電源ボタン１８７から放送受信装置１００の電源のＯＮ／ＯＦＦを切り替える電源操作信号が入力された場合、リレースイッチ１８１をＯＮする。
【００７８】
これにより、放送受信装置１００は、商用電源５００からの交流電流が第１の電源回路１８２に供給される状態になる。この結果、制御部１５０が起動し、映像の表示及び音声の再生が可能な状態になる。
【００７９】
なお、制御部１５０は、時刻を認識する為のクロックを備えている。制御部１５０は、予め設定された第１の時刻になったことを認識した場合、リレースイッチ１８１をＯＦＦするように電源制御ＩＣ１９２にコマンドを送信する構成であってもよい。この場合、制御部１５０は、予め設定された第２の時刻を示す情報及び現時点での時刻を示す情報（時刻情報）をこのコマンドに付加する。
【００８０】
また、この場合、ＡＣ電源制御部１９３は、制御部１５０からコマンドを受信し、リレースイッチ１８１をＯＦＦした場合、カウンタ１９７により時間のカウントを開始する。これにより、ＡＣ電源制御部１９３は、現時点の時刻を認識することができる。ＡＣ電源制御部１９３は、現時点の時刻が、コマンドが示す第２の時刻になった場合、リレースイッチ１８１をＯＮする。
【００８１】
なお、第２の待機状態では、第１の電源回路１８２、第２の電源回路１８６、信号処理、及び画面表示などが停止している。この為、制御部１５０のＩＣに比べて消費電力の小さいＩＣを電源制御ＩＣ１９２として用いることができる。
【００８２】
図６は、第１の受光部１６２を有する受光モジュール１６２０の例を示す。  
受光モジュール１６２０は、第１の受光部１６２、及び基板１６２１を備える。第１の受光部１６２は、基板１６２１上に設置される。
【００８３】
第１の受光部１６２は、例えばフォトダイオードなどの赤外線などを受光する素子を備える。第１の受光部１６２は、受光した光の強度に応じて信号を生成する。なお、第１の受光部１６２には、光を受光し、受光素子に光を結像させることができる範囲（受光可能範囲）が存在する。この受光可能範囲の中心を受光光軸と称する。第１の受光部１６２は、受光光軸と基板１６２１の面とが垂直になるように基板１６２１上に設けられる。またさらに、点灯部１０３及び１０４が基板１６２１上に設けられていてもよい。
【００８４】
図７は、ＡＣ電源制御モジュール１９０の例を示す。  
ＡＣ電源制御モジュール１９０は、第２の受光部１９１、電源制御ＩＣ１９２、及び基板１９８を備える。第２の受光部１９１及び電源制御ＩＣ１９２は、基板１９８上に設置される。
【００８５】
第２の受光部１９１は、例えばフォトダイオードなどの赤外線などを受光する素子を備える。第２の受光部１９１は、受光した光の強度に応じて信号を生成する。なお、第２の受光部１９１には、光を受光し、受光素子に光を結像させることができる範囲（受光可能範囲）が存在する。この受光可能範囲の中心を受光光軸と称する。第２の受光部１９１は、受光光軸と基板１９８の面とが平行になるように基板１９８上に設けられる。
【００８６】
なお、第２の受光部１９１は、第１の受光部１６２に比べて低出力である。また、ＡＣ電源制御モジュール１９０は、第２の受光部１９１と電源制御ＩＣ１９２とが同一の基板１９８上に形成される為、配線の長さを短くすることができる。これにより、ＡＣ電源制御モジュール１９０における電力の消費を抑えることができる。
【００８７】
図８は、受光モジュール１６２０及びＡＣ電源制御モジュール１９０の設置の例を示す。  
受光モジュール１６２０及びＡＣ電源制御モジュール１９０は、それぞれ放送受信装置１００の本体１０１に設けられる。例えば、受光モジュール１６２０及びＡＣ電源制御モジュール１９０は、本体１０１のディスプレイ４００の下部に所定の間隔を置いて設けられる。受光モジュール１６２０及びＡＣ電源制御モジュール１９０は、それぞれの受光光軸が、ディスプレイ４００の正面側を向くように設けられる。即ち、第１の受光部１６２及び第２の受光部１９１の受光光軸が、それぞれディスプレイ４００の正面側を向くように設けられる。これにより、第１の受光部１６２及び第２の受光部１９１は、ディスプレイ４００を視聴しているユーザが所持するリモートコントローラ１６３からの信号を受信することができる。
【００８８】
なお、第１の受光部１６２と第２の受光部１９１とは、脚部１０２を挟むように設けられる。また、第１の受光部１６２と第２の受光部１９１とは、互いに隣接するように設けられていてもよい。またさらに、受光モジュール１６２０及びＡＣ電源制御モジュール１９０は、本体１０１のディスプレイ４００の上部、または側部に設けられていてもよい。またさらに、放送受信装置１００の本体とディスプレイ４００とが別々に構成されている場合、受光モジュール１６２０及びＡＣ電源制御モジュール１９０は、放送受信装置１００の本体の前面に設けられていてもよい。
【００８９】
図９は、放送受信装置１００の動作の例を示す。  
放送受信装置１００は、第１の電源回路１８２及び第２の電源回路１８６が動作している場合、通常状態で動作する（ブロックＢ１１）。この場合、放送受信装置１００は、信号処理、映像表示、及び音声の再生などを行うことができる。
【００９０】
通常状態において、制御部１５０は、リモートコントローラ１６３または主電源ボタン１８７からの電源操作信号の入力を逐次受け付ける（ブロックＢ１２）。
【００９１】
電源操作信号が入力された場合、制御部１５０は、ＰＦＣ回路１８５及び第２の電源回路１８６の動作を停止させる（ブロックＢ１３）。これにより、制御部１５０は、放送受信装置１００を第１の待機状態に移行させる（ブロックＢ１４）。この場合、放送受信装置１００の信号処理系及び出力系には電力が供給されない。この為、放送受信装置１００は、映像の表示及び音声の再生を行わない。
【００９２】
なお、制御部１５０に電力が供給されている為、制御部１５０は、第１の受光部１６２または主電源ボタン１８７からの信号を受信することができる。第１の待機状態において、制御部１５０は、リモートコントローラ１６３または主電源ボタン１８７からの電源操作信号の入力を逐次受け付ける（ブロックＢ１５）。
【００９３】
電源操作信号が入力された場合、制御部１５０は、放送受信装置１００を第１の待機状態から通常状態に移行させる。即ち、制御部１５０は、ＰＦＣ回路１８５及び第２の電源回路１８６をＯＮさせ、ブロックＢ１１に移行する。
【００９４】
電源操作信号が入力されない場合、制御部１５０は、ＡＣ電源をＯＦＦするか否か判断する（ブロックＢ１６）。即ち、制御部１５０は、電源制御ＩＣ１９２によりリレースイッチ１８１をＯＦＦするか否かを判断する。制御部１５０は、上記したように、第１の待機状態に移行してからの経過時間、または、時刻などの条件に基づいて、リレースイッチ１８１をＯＦＦするか否かを判断する。リレースイッチ１８１をＯＦＦしないと判断した場合、制御部１５０は、ブロックＢ１５に移行する。
【００９５】
リレースイッチ１８１をＯＦＦする場合、制御部１５０は、電源制御ＩＣ１９２にコマンドを送信する。なお、上記したように、制御部１５０は、予め設定された第２の待機時間を示す情報をこのコマンドに付加する。
【００９６】
電源制御ＩＣ１９２は、制御部１５０からリレースイッチ１８１のＯＦＦを指示するコマンドを受信した場合、リレースイッチ１８１をＯＦＦするようにリレースイッチ１８１に信号を送信する（ブロックＢ１７）。これにより、電源制御ＩＣ１９２は、放送受信装置１００を第２の待機状態に移行させる（ブロックＢ１８）。また、電源制御ＩＣ１９２は、第２の待機状態に移行してからの経過時間をカウントする（ブロックＢ１９）。
【００９７】
なお、電源制御ＩＣ１９２は、キャパシタ１８４からの電力の供給を受けているため、第２の受光部１９１または主電源ボタン１８７からの信号を受信することができる。第２の待機状態において、電源制御ＩＣ１９２は、リモートコントローラ１６３または主電源ボタン１８７からの電源操作信号の入力を逐次受け付ける（ブロックＢ２０）。
【００９８】
電源操作信号が入力された場合、電源制御ＩＣ１９２は、放送受信装置１００を第２の待機状態から通常状態に移行させる。即ち、電源制御ＩＣ１９２は、リレースイッチ１８１をＯＮするように信号をリレースイッチ１８１に入力する。これにより、第１の電源回路１８２に商用電源５００からの交流電流が供給され、放送受信装置１００が第１の待機状態に移行される。さらに、制御部１５０は、ＰＦＣ回路１８５及び第２の電源回路１８６をＯＮさせ、放送受信装置１００を通常状態に移行させ、ブロックＢ１１に移行する。これにより、放送受信装置１００は、交流電流の供給がない第２の待機状態から通常状態に復帰することができる。
【００９９】
電源操作信号が入力されない場合、電源制御ＩＣ１９２は、所定時間が経過したか否か判断する（ブロックＢ２１）。即ち、電源制御ＩＣ１９２は、上記のコマンドに付加された第２の待機時間を認識する。電源制御ＩＣ１９２は、第２の待機状態に移行してからの経過時間が、コマンドが示す第２の待機時間に達するか否か判断する。カウントされた時間が第２の待機時間に達しない場合、電源制御ＩＣ１９２は、ブロックＢ２０に移行する。
【０１００】
カウントされた時間が第２の待機時間に達する場合、電源制御ＩＣ１９２は、放送受信装置１００を第２の待機状態から通常状態に移行させる。即ち、電源制御ＩＣ１９２は、リレースイッチ１８１をＯＮし（ブロックＢ２２）、ブロックＢ１１に移行する。リレースイッチ１８１をＯＮした場合、第１の電源回路１８２に商用電源５００からの交流電流が供給され、放送受信装置１００が第１の待機状態に移行される。さらに、制御部１５０は、ＰＦＣ回路１８５及び第２の電源回路１８６をＯＮさせ、放送受信装置１００を通常状態に移行させる。これにより、放送受信装置１００は、交流電流の供給がない第２の待機状態から通常状態に復帰することができる。
【０１０１】
また、カウントされた時間が第２の待機時間に達する場合、電源制御ＩＣ１９２は、放送受信装置１００を第２の待機状態から第１の待機状態に移行させる構成であってもよい。即ち、電源制御ＩＣ１９２は、リレースイッチ１８１をＯＮし（ブロックＢ２２）、ブロックＢ１５またはブロックＢ１６に移行する。これにより、放送受信装置１００は、交流電流の供給がない第２の待機状態から第１の待機状態に復帰することができる。
【０１０２】
なお、図９の説明では、制御部１５０及び電源制御ＩＣ１９２は、時間に基づいて種々の判断を行う構成として説明したが、上記したように時刻に基づいて判断を行う構成であってもよい。
【０１０３】
上記したように、放送受信装置１００は、放送受信装置１００の第１の電源回路１８２と商用電源５００との間に設けられたリレースイッチ１８１を制御する電源制御ＩＣ１９２を備える。放送受信装置１００は、放送受信装置１００が第１の待機状態に移行してから所定のタイミングでリレースイッチ１８１をＯＦＦし、放送受信装置１００に商用電源５００からの交流電流が供給されない状態である第２の待機状態に移行する。
【０１０４】
また、放送受信装置１００は、放送受信装置１００が通常状態または第１の待機状態である場合に充電を行い、放送受信装置１００が放送受信装置１００に交流電流が供給されない状態である第２の待機状態である場合に電源制御ＩＣ１９２に直流電流を供給するキャパシタ１８４を備える。
【０１０５】
また、放送受信装置１００は、第１の受光部１６２と、電源制御ＩＣ１９２に接続された第２の受光部１９１との２つの受光部を備える。第１の受光部１６２は、放送受信装置１００が通常状態または第１の待機状態である場合にリモートコントローラ１６３からの信号を受信する。また、第２の受光部１９１は、放送受信装置１００が第２の待機状態である場合にリモートコントローラ１６３からの信号を受信し、電源制御ＩＣ１９２に供給する。
【０１０６】
また、放送受信装置１００は、電源制御ＩＣ１９２から電力の供給を受けて信号を生成する主電源ボタン１８７を備える。主電源ボタン１８７は、操作に応じて信号を生成し、電源制御ＩＣ１９２に供給する。
【０１０７】
電源制御ＩＣ１９２は、リモートコントローラ１６３または主電源ボタン１８７からの信号に応じてリレースイッチ１８１をＯＮにする。これにより、放送受信装置１００は、第２の待機状態から通常状態、または第１の待機状態に復帰することができる。
【０１０８】
即ち、主電源ボタン１８７は、制御部１５０と電源制御ＩＣ１９２との両方に接続されている。放送受信装置１００が第１の待機状態である場合、制御部１５０が主電源ボタン１８７による電源操作信号を検出する。また、放送受信装置１００が第２の待機状態である場合、電源制御ＩＣ１９２が主電源ボタン１８７による電源操作信号を検出する。これにより、本体１０１に設置された主電源ボタン１８７を操作することにより、放送受信装置１００を第２の待機状態から通常状態に復帰させることができる。
【０１０９】
上記の構成によると、電源制御ＩＣ１９２は、電力消費の大きいＡＣ／ＤＣ変換器に商用電源５００からの交流電流が供給されないようにリレースイッチ１８１を制御することができる。さらに、放送受信装置１００は、本体１０１に設置された主電源ボタン１８７の操作に応じて、第２の待機状態から通常状態に復帰することができる。この結果、より省電力で待機することができる電子機器、及び電子機器の制御方法を提供することができる。
【０１１０】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０１１１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１１２】
１００…放送受信装置、１１０…放送入力端子、１１１…チューナ、１１２…復調部、１１３…信号処理部、１１４…通信インターフェース、１２１…音声処理部、１３１…映像処理部、１３２…ＯＳＤ処理部、１３３…表示処理部、１５０…制御部、１５１…ＣＰＵ、１５２…ＲＯＭ、１５３…ＲＡＭ、１５４…ＥＥＰＲＯＭ、１６１…操作入力部、１６２…第１の受光部、１６３…リモートコントローラ、１６４…カードコネクタ、１６５…メモリカード、１６６…ＵＳＢコネクタ、１６７…ＵＳＢ機器、１７０…ディスクドライブ、１８０…電源制御部、１８１…リレースイッチ、１８２…第１の電源回路、１８４…キャパシタ、１８５…ＰＦＣ回路、１８６…第２の電源回路、１８７…主電源ボタン、１８８…エコセットスイッチ、１９０…ＡＣ電源制御モジュール、１９１…第２の受光部、１９２…電源制御ＩＣ、１９３…ＡＣ電源制御部、１９４…信号受信部、１９５…増幅器、１９６…Ａ／Ｄ変換部、１９７…カウンタ、１９８…基板、２００…アンテナ、３００…スピーカ、４００…ディスプレイ、５００…商用電源、１６２０…受光モジュール、１６２１…基板。
【図１】
2013078050.tif 000003
【図２】
2013078050.tif 000004
【図３】
2013078050.tif 000005
【図４】
2013078050.tif 000006
【図５】
2013078050.tif 000007
【図６】
2013078050.tif 000008
【図７】
2013078050.tif 000009
【図８】
2013078050.tif 000010
【図９】
2013078050.tif 000011